(57)【要約】【課題】内部に遺骨を安定した状態で収納させることができる小型五輪塔を提供する。【解決手段】地輪、水輪、火輪、風輪及び空輪をそれぞれ象徴する方形部１０、円形部２０、三角形部３０、半月形部４０及び宝珠形部５０を積み重ねてなる小型五輪塔１において、方形部１０、円形部２０、三角形部３０、半月形部４０及び宝珠形部５０は、石材からなり、円形部２０、三角形部３０、半月形部４０及び宝珠形部５０は、一体化された構成であり、方形部１０は、円形部２０によって開閉される、遺骨を収納するための凹部１１を有する。【選択図】図２
0003155307.tif 000002
【実用新案登録請求の範囲】
【請求項１】
地輪、水輪、火輪、風輪及び空輪をそれぞれ象徴する方形部、円形部、三角形部、半月形部及び宝珠形部を積み重ねてなる小型五輪塔において、
前記方形部、前記円形部、前記三角形部、前記半月形部及び宝珠形部は、石材からなり、
前記円形部、前記三角形部、前記半月形部及び宝珠形部は、一体化された構成であり、
前記方形部は、前記円形部によって開閉される凹状の遺骨収納部を有することを特徴とする小型五輪塔。
【請求項２】
前記遺骨収納部は、円柱形であり、
前記円形部の下部に、前記遺骨収納部の開口側の一部に遊嵌する円形の突出部を形成したことを特徴とする請求項１に記載の小型五輪塔。
【考案の詳細な説明】
【技術分野】
【０００１】
本考案は、家庭の卓上に載置可能な小型五輪塔に関するものである。
【背景技術】
【０００２】
五輪塔は、五大（ごだい）、すなわち物質の構成要素である地、水、火、風、空にかたどった５種の部分、すなわち下から方形部、円形部、三角形部、半月形部、宝珠形部を積み重ねた塔である。方形部は地輪、円形部は水輪、三角形部は火輪、半月形部は風輪、宝珠形部は空輪と称され、方形部には地、円形部には水、三角形部には火、半月形部には風、宝珠形部には空を示す梵字が刻まれている。日本において五輪塔は、供養塔、墓石として多く使われている。
【０００３】
また、従来、内部にお経を入れるための空間が形成されている家庭用五輪塔が提案されている（特許文献１）。また、内部に納骨スペースが形成されている五輪塔形状の室内用墓標が提案されている（特許文献２）。
【先行技術文献】
【特許文献】
【０００４】
【特許文献１】特許第３０６６５８２号公報
【特許文献２】実用新案登録第３０５１５１７号公報
【考案の概要】
【考案が解決しようとする課題】
【０００５】
しかしながら、特許文献１、２に記載のものは、比較的軽量に構成されており、小さな衝撃によって倒れるおそれがある。特に、遺骨を収納している場合には、所有者にとっては大変尊いものであるため、できるだけ倒れにくくすることが望ましい。
【０００６】
本考案は、以上の点を考慮してなされたもので、内部に遺骨を安定した状態で収納させることができる小型五輪塔を提供することを目的とする。
【課題を解決するための手段】
【０００７】
前記目的を達成するため、本考案は次に記載する構成を備えている。
【０００８】
（１）地輪、水輪、火輪、風輪及び空輪をそれぞれ象徴する方形部、円形部、三角形部、半月形部及び宝珠形部を積み重ねてなる小型五輪塔において、前記方形部、前記円形部、前記三角形部、前記半月形部及び宝珠形部は、石材からなり、前記円形部、前記三角形部、前記半月形部及び宝珠形部は、一体化された構成であり、前記方形部は、前記円形部によって開閉される凹状の遺骨収納部を有することを特徴とする小型五輪塔。
【０００９】
（２）（１）において、前記遺骨収納部は、円柱形であり、前記円形部の下部に、前記遺骨収納部の開口側の一部に遊嵌する円形の突出部を形成したことを特徴とする小型五輪塔。
【００１０】
（１）によれば、小型五輪塔が石材（例えば、御影石）によって構成されているため、全体的な重さが確保されている。また、円形部、三角形部、半月形部及び宝珠形部は、一体的に形成されており、最下に位置する方形部に遺骨収納部が形成されており、円形部が遺骨収納部を開閉する蓋として機能する。このため、遺骨は最下に位置する方形部に配置されるようになり、遺骨を安定した状態で収納させることができる小型五輪塔を提供することが可能になる。
【００１１】
（２）によれば、（１）において、方形部の遺骨収納部に、円形部の下部に設けた突出部を遊嵌することにより、方形部に対して真っ直ぐに円形部、三角形部、半月形部及び宝珠形部を立てることが可能になる。
【考案の効果】
【００１２】
本考案によれば、内部に遺骨を安定した状態で収納させることができる小型五輪塔を提供することが可能になる。
【図面の簡単な説明】
【００１３】
【図１】本考案の一実施形態に係る小型五輪塔の外観を示す斜視図である。
【図２】本考案の一実施形態に係る小型五輪塔の分解斜視図である。
【図３】本考案の一実施形態に係る小型五輪塔の内部構成を示す側面図である。
【図４】本考案の一実施形態に係る小型五輪塔の載置例を示す斜視図である。
【図５】本考案の一実施形態に係る小型五輪塔の載置例を示す斜視図である。
【考案を実施するための形態】
【００１４】
以下、本考案の実施形態について図面を参照しながら詳述する。
【００１５】
図１は本考案の一実施形態に係る小型五輪塔の外観を示す斜視図、図２は図１の分解斜視図、図３は図１の内部構成を示す側面図である。小型五輪塔１は、図１に示すように、下から方形部１０、円形部２０、三角形部３０、半月形部４０及び宝珠形部５０を積み重ねた構造である。方形部１０、円形部２０、三角形部３０、半月形部４０及び宝珠形部５０は御影石を加工したものであり、それぞれ地、水、火、風、空を示す梵字が刻まれている。
【００１６】
次に、図２、図３を参照しながら、小型五輪塔１を構成する各部の構成について説明する。
【００１７】
方形部１０は、平面視正方形の立体形状であり、この正方形の中心を通る垂直の直線上に、円形部２０、三角形部３０、半月形部４０及び宝珠形部５０の中心が配置される。また、図２、図３に示すように、方形部１０の上面には、正方形の中心を中心とした円柱状の凹部１１が形成されている。この凹部１１に、納骨されている桐箱６０が収納される。また、円形部２０、三角形部３０、半月形部４０及び宝珠形部５０を一体化することによって、凹部１１を開閉する蓋体５が構成されており、凹部１１は、円形部２０によって開閉される。
【００１８】
円形部２０は、直径が方形部１０の正方形の一辺と同じ長さの略球状体である。円形部２０には、両側部に円形の平面部が、中心に対して対称位置に形成されている。この平面部の一方が方形部１０の上面に当接し、他方が三角形部の下面に当接する。また、この平面部の径は、凹部１１の径よりも大きく設定されており、一方の平面部には、円柱状の凸部２１が形成されており、この凸部２１は、平面部の中心と同心でかつ凹部１１の径よりも若干小さい径である。
【００１９】
本実施形態においては、円形部２０の一方の平面部に円柱状の凸部２１が接着されている。そして、円形部２０を方形部１０に載置することにより、凸部２１が凹部１１の開口の一部に遊嵌し、円形部２０が凹部１１を開閉可能な状態で円形部２０に積載される。ここで、凸部２１の高さは、凹部１１内に収納される桐箱６０に当接しないように設定されている。
【００２０】
三角形部３０は、平面視正方形で、側面視した場合、上部が切り欠かれた三角形が長方形上に載っている、略四角錐形の立体形状である。三角形部３０の下面の形状は、方形部１０の正方形と同型である。また、三角形部３０の上面は、下面の正方形よりも小さい正方形なしており、上面の正方形の中心と下面の正方形の中心は、平面視した場合に一致している。また、略四角錐形を形成する４つの側面は、若干内側に湾曲している。
【００２１】
半月形部４０及び宝珠形部５０は、御影石を加工する際に一体的に構成される。
半月形部４０は、円柱体の一方の縁部を外側に膨らむ円弧状に加工してなるものであり、略お椀型の形状をなしている。半月形部４０の上面は円形であり、その直径は、三角形部３０上面の正方形の一辺と同じ長さである。また、半月形部４０の下面は、上面の円形よりも小さい円形をなしており、上面の円形の中心と下面の円形の中心は、平面視した場合に一致している。
【００２２】
宝珠形部５０は、半月形部４０の上面の直径に等しい直径の略球状体であり、一部に円形の平面部が形成されており、この平面部に対向する部位に突出部を形成したものである。宝珠形部５０を平面視した場合に、平面部の中心と突出部の中心とが一致する。
【００２３】
そして、円形部２０の他方の平面部に、三角形部３０の下面を接着し、三角形部３０の上面に、半月形部４０の下面を接着することにより、円形部２０、三角形部３０、半月形部４０及び宝珠形部５０が一体化され、蓋体５が構成される。このとき、各部に刻まれている梵字が、上下方向に整列するように各部を接着する。同時に、円形部２０、三角形部３０、半月形部４０及び宝珠形部５０を一体化する際に、円形部２０の両平面部それぞれの中心、三角形部３０の上下面それぞれの中心、半月形部４０の上下面それぞれの中心、宝珠形部５０の平面部の中心と突出部の中心とが、同一直線上に位置するように、各部を接着する。
【００２４】
さらに、蓋体５の円形部２０を方形部１０に載置した場合、前述の同一直線上に、方形部１０の上下面の中心や凹部１１の中心軸が位置するようになる。ここで、方形部１０の梵字が、他の各部の梵字と上下に並ぶように、蓋体５を方形部１０に載置した場合に、平面視すると、三角形部３０の下面の正方形は、方形部１０の正方形に一致するようになる。
【００２５】
次に、小型五輪塔１の利用例について説明する。まず、桐箱６０に故人の遺骨の一部、例えば、のど仏の骨を入れて、蓋をする。次に、円形部２０をもって、円形部２０、三角形部３０、半月形部４０及び宝珠形部５０を方形部１０から移動させることにより、凹部１１を開放する。そして、凹部１１内に桐箱６０を収納してから、円形部２０によって凹部１１を閉鎖する。
【００２６】
このようにして、遺骨が収納された小型五輪塔１は、図４、図５に示すように、収納壇７０に収納するのが望ましい。例えば、朝に、図４に示すように観音開きの扉７１、７１を開放して、小型五輪塔１が視認できるようにし、夜に、図５に示すように扉７１、７１を閉じる。
【００２７】
以上説明したように構成された本実施形態によれば、小型五輪塔１が石材（例えば、御影石）によって構成されているため、全体的な重さが確保されている。また、円形部２０、三角形部３０、半月形部４０及び宝珠形部５０は一体的に形成されており、最下に位置する方形部１０に遺骨収納部となる凹部１１が形成されており、円形部２０が遺骨収納部を開閉する蓋として機能する。このため、遺骨は最下に位置する方形部１０に配置されるようになり、遺骨を安定した状態で収納させることができる小型五輪塔１を提供することが可能になる。
【００２８】
また、凹部１１を円形部２０によって閉じる際に、円柱状の凹部１１の開口側の一部に、円形部２０の下部に形成された円形の突出部である凸部２１を遊嵌することにより、方形部１０に対して真っ直ぐに円形部２０、三角形部３０、半月形部４０及び宝珠形部５０を立てることが可能になる。
【符号の説明】
【００２９】
１  小型五輪塔
５  蓋体
１０  方形部
１１  凹部
２０  円形部
２１  凸部
３０  三角形部
４０  半月形部
５０  宝珠形部
６０  桐箱
７０  収納壇
７１  扉
【図１】
0003155307.tif 000003
【図２】
0003155307.tif 000004
【図３】
0003155307.tif 000005
【図４】
0003155307.tif 000006
【図５】
0003155307.tif 000007